【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
外部装置とネットワーク経由で通信可能な撮像装置であって、
撮像手段と、
前記撮像手段が異なる露出条件で撮像した複数の画像を合成するための動作を制御するための合成コマンドと、設定された露出条件で生成した画像を取得するための動作を制御するための露出設定コマンドを、前記外部装置からネットワークを介して受信する受信手段と、
前記受信手段により合成コマンド及び露出設定コマンドを受信した場合に、前記合成コマンド及び前記露出設定コマンドによる動作を制御する制御手段と、
前記制御手段による動作を判定する判定手段と、
前記判定手段の判定結果に応じて、前記受信手段で受信する合成コマンド及び露出設定コマンドのそれぞれで指定することができる動作を示す動作情報を前記外部装置にネットワーク経由で送信する送信手段とを備える撮像装置。
【請求項２】
前記合成コマンドによって制御され、合成画像データを生成する合成手段と、
前記露出設定コマンドによって制御され、前記撮像手段の露出条件を設定して１枚の画像データを取得する露出設定手段とを更に備えることを特徴とする請求項１に記載の撮像装置。
【請求項３】
前記制御手段は、前記受信手段が受信した合成コマンド又は露出設定コマンドに基づき、前記合成手段及び前記露出設定手段を択一的に動作させる制御手段を含むことを特徴とする請求項２に記載の撮像装置。
【請求項４】
前記判定手段は、前記制御手段により合成手段及び露出設定手段のいずれが動作させられているのかを判定することを特徴とする請求項２に記載の撮像装置。
【請求項５】
前記送信手段は、前記判定手段により合成手段が動作させられていると判定された場合には、前記合成コマンドにより合成手段を動作させること及び合成手段を停止させることが指定可能であることを示す動作情報を、前記外部装置にネットワーク経由で送信し、前記判定手段により露出設定手段が動作させられていると判定された場合には、前記露出設定コマンドにより露出設定手段を動作させること及び露出設定手段を停止させることが指定可能であることを示す動作情報を、前記外部装置にネットワーク経由で送信することを特徴とする請求項２に記載の撮像装置。
【請求項６】
前記送信手段は、前記判定手段により合成手段が動作させられていると判定された場合には、前記露出設定コマンドにより露出設定手段を停止させることが指定可能であることを示す動作情報を、前記外部装置にネットワーク経由で送信することを特徴とする請求項５に記載の撮像装置。
【請求項７】
前記送信手段は、前記判定手段により合成手段が動作させられていると判定された場合には、前記露出設定コマンドにより露出設定手段を動作させるか否かを前記撮像装置に自動で制御させることが指定可能であることを示す動作情報を、前記外部装置にネットワーク経由で送信することを特徴とする請求項５に記載の撮像装置。
【請求項８】
前記送信手段は、前記判定手段により露出設定手段が動作させられていると判定された場合には、前記合成コマンドにより合成手段を停止させることが指定可能であることを示す動作情報を、前記外部装置にネットワーク経由で送信することを特徴とする請求項５に記載の撮像装置。
【請求項９】
前記送信手段は、前記判定手段により露出設定手段が動作させられていると判定された場合には、前記合成コマンドにより合成手段を動作させるか否かを前記撮像装置に自動で制御させることが指定可能であることを示す動作情報を、前記外部装置にネットワーク経由で送信することを特徴とする請求項５に記載の撮像装置。
【請求項１０】
前記送信手段は、前記判定手段において露出設定コマンドにより露出設定手段を動作させるか否かを前記撮像装置に自動で制御させることが指定されていると判定された場合には、前記合成コマンドにより合成手段を動作させること及び合成手段を停止させることが指定可能であることを示す動作情報を、前記外部装置にネットワーク経由で送信することを特徴とする請求項２に記載の撮像装置。
【請求項１１】
前記送信手段は、前記判定手段において合成コマンドにより合成手段を動作させるか否かを前記撮像装置に自動で制御させることが指定されていると判定された場合には、前記露出設定コマンドにより露出設定手段を動作させること及び露出設定手段を停止させることが指定可能であることを示す動作情報を、前記外部装置にネットワーク経由で送信することを特徴とする請求項２に記載の撮像装置。
【請求項１２】
前記受信手段において、前記外部装置からの前記動作情報を要求するコマンドを受信した場合に、
前記送信手段は、前記判定手段の判定結果に応じて、前記受信手段で受信する合成コマンド及び露出設定コマンドのそれぞれで指定することができる動作を示す動作情報を前記外部装置にネットワーク経由で送信することを特徴とする請求項１に記載の撮像装置。
【請求項１３】
撮像部と、前記撮像手段が異なる露出条件で撮像した複数の画像を合成するための動作を制御するための合成コマンドと、設定された露出条件で生成した画像を取得するための動作を制御するための露出設定コマンドを受信する受信部と、前記受信手段により合成コマンド及び露出設定コマンドを受信した場合に、前記合成コマンド及び前記露出設定コマンドによる動作を制御する制御部と、前記制御部による動作を判定する判定部と、を有する撮像装置とネットワーク経由で通信可能な外部装置であって、
前記判定部の判定結果に応じて、前記合成コマンド及び前記露出設定コマンドのそれぞれで指定することができる動作を示す動作情報を、前記撮像装置からネットワーク経由で受信する受信手段と、
前記合成コマンド及び前記露出設定コマンドを前記撮像装置にネットワーク経由で送信する送信手段と、
を備えることを特徴とする外部装置。
【請求項１４】
撮像装置と、前記撮像装置とネットワーク経由で通信する外部装置と、で構成される撮像システムであって、
前記撮像装置は、
撮像手段と、
前記撮像手段が異なる露出条件で撮像した複数の画像を合成するための動作を制御するための合成コマンドと、設定された露出条件で生成した画像を取得するための動作を制御するための露出設定コマンドを、前記外部装置からネットワークを介して受信する受信手段と、
前記受信手段により合成コマンド及び露出設定コマンドを受信した場合に、前記合成コマンド及び前記露出設定コマンドによる動作を制御する制御手段と、
前記制御手段による動作を判定する判定手段と、
を備え、
前記外部装置は、
前記判定部の判定結果に応じて、前記合成コマンド及び前記露出設定コマンドのそれぞれで指定することができる動作を示す動作情報を、前記撮像装置からネットワーク経由で受信する受信手段と、
前記合成コマンド及び前記露出設定コマンドを前記撮像装置にネットワーク経由で送信する送信手段と、
を備えることを特徴とする撮像システム。
【請求項１５】
外部装置とネットワーク経由で通信する撮像部を有する撮像装置の制御方法であって、
前記撮像部が異なる露出条件で撮像した複数の画像を合成するための動作を制御するための合成コマンドと、設定された露出条件で生成した画像を取得するための動作を制御するための露出設定コマンドを、前記外部装置からネットワークを介して受信する受信ステップと、
前記受信ステップにより合成コマンド及び露出設定コマンドを受信した場合に、前記合成コマンド及び前記露出設定コマンドによる動作を制御する制御ステップと、
前記制御ステップによる動作を判定する判定ステップと、
前記判定ステップの判定結果に応じて、前記受信ステップで受信する合成コマンド及び露出設定コマンドのそれぞれで指定することができる動作を示す動作情報を前記外部装置にネットワーク経由で送信する送信ステップとを備える撮像装置の制御方法。
【請求項１６】
請求項１５に記載の複数のステップをコンピュータに実行させるためのコンピュータプログラム。
【請求項１７】
請求項１６に記載のコンピュータプログラムを記載したコンピュータ読取可能な記憶媒体。